【手続補正書】
【提出日】平成24年12月13日(2012.12.13)
【手続補正１】
【補正対象書類名】明細書
【補正対象項目名】００１１
【補正方法】変更
【補正の内容】
【００１１】
上記目的を達成するために本発明は、搬送手段によって搬送される記録媒体と記録ヘッドとの複数回の相対走査を行うことによりそれぞれの記録位置で当該記録媒体の単位領域に画像を記録するために、当該単位領域に記録すべき画像に対応した多値画像データを処理する画像処理装置であって、前記記録媒体の記録位置に応じて、当該記録位置に対応する多値画像データを処理する第１の処理と第２の処理のいずれかを選択する選択手段と、前記選択手段により前記第１の処理が選択された場合に、前記多値画像データを、前記複数回の相対走査のそれぞれに対応する多値データおよび前記複数回の相対走査のうちの少なくとも２回の相対走査に共通に対応する多値データに分割する第１の分割手段と、前記第１の分割手段によって分割された多値データのそれぞれに低階調化処理を実行して、前記複数回の相対走査の各々に対応する低階調化データおよび前記少なくとも２回の相対走査に共通に対応する低階調化データを生成する第１の低階調化手段と、前記第１の低会長か手段によって生成された低会長かデータを対応する相対操作ごとに合成して、前記複数回の相対走査の各々に対応した合成データを生成する生成手段と、前記選択手段により前記第２の処理が選択された場合に、前記多値画像データに対して低階調化処理を実行して、低階調化データを生成する第２の低階調化手段と、前記第２の低階調化手段によって生成された低階調化データを前記複数回の相対走査のそれぞれに対応する低階調化データに分割する第２の分割手段と、を具えたことを特徴とする。
【手続補正２】
【補正対象書類名】特許請求の範囲
【補正対象項目名】全文
【補正方法】変更
【補正の内容】
【特許請求の範囲】
【請求項１】
搬送手段によって搬送される記録媒体と記録ヘッドとの複数回の相対走査を行うことによりそれぞれの記録位置で当該記録媒体の単位領域に画像を記録するために、当該単位領域に記録すべき画像に対応した多値画像データを処理する画像処理装置であって、
前記記録媒体の記録位置に応じて、当該記録位置に対応する多値画像データを処理する第１の処理と第２の処理のいずれかを選択する選択手段と、
前記選択手段により前記第１の処理が選択された場合に、
前記多値画像データを、前記複数回の相対走査のそれぞれに対応する多値データおよび前記複数回の相対走査のうちの少なくとも２回の相対走査に共通に対応する多値データに分割する第１の分割手段と、
前記第１の分割手段によって分割された多値データのそれぞれに低階調化処理を実行して、前記複数回の相対走査の各々に対応する低階調化データおよび前記少なくとも２回の相対走査に共通に対応する低階調化データを生成する第１の低階調化手段と、
前記第１の低会長か手段によって生成された低会長かデータを対応する相対操作ごとに合成して、前記複数回の相対走査の各々に対応した合成データを生成する生成手段と、
前記選択手段により前記第２の処理が選択された場合に、
前記多値画像データに対して低階調化処理を実行して、低階調化データを生成する第２の低階調化手段と、
前記第２の低階調化手段によって生成された低階調化データを前記複数回の相対走査のそれぞれに対応する低階調化データに分割する第２の分割手段と、
を具えたことを特徴とする画像処理装置。
【請求項２】
前記選択手段は、前記記録位置が、記録媒体の搬送方向において記録ヘッドの上流側に設けられた搬送のための上流側ローラ対および下流側に設けられた搬送のための下流側ローラ対の両方によって記録媒体が挟持された状態で搬送されるときの記録位置である中央部、上流側ローラ対のみによって挟持された状態で搬送されるときの記録位置である先端部、および下流側ローラ対のみによって挟持された状態で搬送されるときの記録位置である後端部である場合に、前記第２の処理を選択し、
前記記録位置が、前記先端部と前記中央部との間および前記後端部と前記中央部との間それぞれの境界である場合に、前記第１の処理を選択することを特徴とする請求項１に記載の画像処理装置。
【請求項３】
前記選択手段は、前記記録位置が、記録媒体の搬送方向において記録ヘッドの上流側に設けられた搬送のための上流側ローラ対および下流側に設けられた搬送のための下流側ローラ対の両方によって記録媒体が挟持された状態で搬送されるときの記録位置である中央部である場合に、前記第２の処理を選択し、
前記記録位置が、上流側ローラ対のみによって挟持された状態で搬送されるときの記録位置である先端部、下流側ローラ対のみによって挟持された状態で搬送されるときの記録位置である後端部、および前記先端部と前記中央部との間および前記後端部と前記中央部との間それぞれの境界である場合に、前記第１の処理を選択することを特徴とする請求項１に記載の画像処理装置。
【請求項４】
前記第１の分割手段は、前記先端部または前記後端部の全体の搬送方向長さに対する前記先端部または前記後端部の搬送方向における位置の前記境界との距離の割合に応じて、前記複数回の相対走査のそれぞれに対応する多値データおよび前記複数回の相対走査のうちの少なくとも２回の相対走査に共通に対応する多値データに分割する割合を定めることを特徴とする請求項３に記載の画像処理装置。
【請求項５】
前記記録ヘッドを用いて記録媒体に画像を記録するための記録手段と、
前記記録媒体の記録位置を検知するための検知手段と、
を具える画像形成装置であることを特徴とする請求項１から４のいずれかに記載の画像処理装置。
【請求項６】
前記低階調化処理は誤差拡散処理またはディザ処理であることを特徴とする請求項１乃至５のいずれかに記載の画像処理装置。
【請求項７】
搬送されることで記録位置が変わる記録媒体と記録ヘッドとの複数回の相対走査を行うことによりそれぞれの記録位置で当該記録媒体の単位領域に画像を記録するために、当該単位領域に記録すべき画像に対応した多値画像データを処理するための画像処理方法であって、
前記記録媒体の記録位置を検知する検知工程と、
前記検知工程において検知された記録媒体の記録位置に応じて、当該記録位置に対応する多値画像データを処理する第１の処理工程と第２の処理工程のいずれかを選択する選択工程と、
を有し、
前記第１の処理工程は、
前記多値画像データを、前記複数回の相対走査のそれぞれに対応する多値データおよび前記複数回の相対走査のうちの少なくとも２回の相対走査に共通に対応する多値データに分割する第１の分割工程と、
前記第１の分割工程によって分割された多値データのそれぞれに低階調化処理を実行して、前記複数回の相対走査の各々に対応する低階調化データおよび前記少なくとも２回の相対走査に共通に対応する低階調化データを生成する第１の低階調化工程と、
前記第１の低階調化工程によって生成された低階調化データを対応する相対走査毎に合成して、前記複数回の相対走査の各々に対応した合成データを生成する生成工程と、を有し、
前記第２の処理工程は、
前記多値画像データに対して低階調化処理を実行して、低階調化データを生成する第２の低階調化工程と、
前記第２の低階調化工程によって生成された低階調化データを前記複数回の相対走査のそれぞれに対応する低階調化データに分割する第２の分割工程と、を有することを特徴とする画像処理方法。
【請求項８】
前記選択工程は、前記記録位置が、記録媒体の搬送方向において記録ヘッドの上流側に設けられた搬送のための上流側ローラ対および下流側に設けられた搬送のための下流側ローラ対の両方によって記録媒体が挟持された状態で搬送されるときの記録位置である中央部、上流側ローラ対のみによって挟持された状態で搬送されるときの記録位置である先端部、および下流側ローラ対のみによって挟持された状態で搬送されるときの記録位置である後端部である場合に、前記第２の処理を選択し、
前記記録位置が、前記先端部と前記中央部との間および前記後端部と前記中央部との間それぞれの境界である場合に、前記第１の処理を選択することを特徴とする請求項７に記載の画像処理方法。
【請求項９】
前記選択工程は、前記記録位置が、記録媒体の搬送方向において記録ヘッドの上流側に設けられた搬送のための上流側ローラ対および下流側に設けられた搬送のための下流側ローラ対の両方によって記録媒体が挟持された状態で搬送されるときの記録位置である中央部である場合に、前記第２の処理を選択し、
前記記録位置が、上流側ローラ対のみによって挟持された状態で搬送されるときの記録位置である先端部、下流側ローラ対のみによって挟持された状態で搬送されるときの記録位置である後端部、および前記先端部と前記中央部との間および前記後端部と前記中央部との間それぞれの境界である場合に、前記第１の処理を選択することを特徴とする請求項７に記載の画像処理方法。
【請求項１０】
前記第１の分割工程は、前記先端部または前記後端部の全体の搬送方向長さに対する前記先端部または前記後端部の搬送方向における位置の前記境界との距離の割合に応じて、前記複数回の相対走査のそれぞれに対応する多値データおよび前記複数回の相対走査のうちの少なくとも２回の相対走査に共通に対応する多値データに分割する割合を定めることを特徴とする請求項９に記載の画像処理方法。
【請求項１１】
前記記録ヘッドを用いて記録媒体に画像を記録するための記録工程と、
前記記録媒体の記録位置を検知するための検知工程と、
を具える画像形成方法であることを特徴とする請求項７乃至１０のいずれかに記載の画像処理方法。
【請求項１２】
前記低階調化処理は誤差拡散処理またはディザ処理であることを特徴とする請求項７乃至１１のいずれかに記載の画像処理方法。
【請求項１３】
コンピュータに読み取られることにより、当該コンピュータを請求項１から６のいずれかに記載の画像処理装置として機能させることを特徴とするプログラム。